(57)【要約】【課題】支障なく負傷者等を搬出できるように、担棒の使用時に担棒がズレ難く、また担棒を使用しないときには、手で確実に把持できるようにすると共に、保管収納及び携行に便利なようにコンパクトに折り畳むことができるようにする。【解決手段】略長方形状の本体シート２と、この本体シート２と周縁が接合されると共に開閉可能な開口部１６を備えたカバーシート３と、本体シート２の長手方向に沿った左右縁部４，５に間隔をあけて複数設けられている縣架用部材６と、各縣架用部材６に近接して前記本体シート２及びカバーシート３の左右縁部４，５側に間隔をあけて複数設けられている把持孔１２とを備えている。【選択図】図１
0003116761.tif 000002
【実用新案登録請求の範囲】
【請求項１】
略長方形状の本体シート（２）と、この本体シート（２）と周縁が接合されると共に開閉可能な開口部（１６）を備えたカバーシート（３）と、本体シート（２）の長手方向に沿った左右縁部（４，５）に間隔をあけて複数設けられている縣架用部材（６）と、各縣架用部材（６）に近接して前記本体シート（２）及びカバーシート（３）の左右縁部（４，５）側に間隔をあけて複数設けられている把持孔（１２）とを備えていることを特徴とする簡易担架。
【請求項２】
前記カバーシート（３）は、本体シート（２）の左縁部（４）に当接して本体シート（２）の略左半分を覆う左カバー（１３）と、本体シート（２）の右縁部（５）に当接して本体シート（２）の略右半分を覆う右カバー（１４）とを備え、この左右カバー（１３，１４）の衝合位置に左右カバー（１３，１４）を係脱可能に係止する開閉手段（１５）を有する開口部（１６）が形成されていることを特徴とする請求項１に記載の簡易担架。
【請求項３】
前記本体シート（２）が、非通気性の合成樹脂シートで構成されていることを特徴とする請求項１または２に記載の簡易担架。
【請求項４】
前記開閉手段（１５）に、水密状態に閉じることができるスライドファスナーが用いられている請求項２または３に記載の簡易担架。
【考案の詳細な説明】
【技術分野】
【０００１】
本考案は、各種の事故現場や災害事故から負傷者や死者（以下、負傷者等という。）を搬出するために使用される簡易担架に関するものである。
【背景技術】
【０００２】
従来、最もシンプルなものとして、略長方形シートの両側に担棒を固着した担架が周知である。
また、上面に開閉可能な開口部を設けた略長方形の袋体の両側に間隔をおいて複数の把手を設け、この把手を手で直接把持して袋体に収容した負傷者等を搬出したり、または把手に担棒を挿通して、この担棒を介して袋体に収容した負傷者等を搬出するようにした担架も公知である（例えば、特許文献１参照）。
【特許文献１】特開平９−１９２１７２号公報
【考案の開示】
【考案が解決しようとする課題】
【０００３】
従来周知の担架は、狭い場所や屈曲した路地等を通って負傷者等を搬出する必要がある場合には、担棒が妨げとなって負傷者等を搬出することができず、使用場所に制約されるという問題点があった。
また、特許文献１の担架は、上記問題点を克服できるが、把手には次のような問題点があった。
上記把手は、担棒を挿通するだけであれば、小径筒状としておけばよいが、担棒を使用しないときには筒状部内に手指を挿入して確実に把持できるようにするために、担棒の直径よりも遙かに大きい筒状に形成しておく必要がある。このように、把手を大径筒状に形成してあると、袋体の両側への突出量が大きくなり、折り畳み収納時等の把手不使用時に嵩張りが大きくなって保管場所を多く取り、また事故現場などへの携行にも不便となる。しかも、把手が担棒の直径よりも遙かに大径の筒状とされているため、担棒を把手に挿通したとき、把手の筒体内面と担棒との間の遊び空間が大きくなるため、担棒がズレやすくなり、負傷者等の搬出に支障をきたすなどの問題点があった。
【０００４】
本考案は、このような問題点を解決し得る簡易担架を提供することを目的とする。
本考案は、担棒の使用時には、担棒をズレ難くし、また担棒を使用しないときには、手で確実に把持できて負傷者等の搬出に支障をきたすことがなく、コンパクトに折り畳むことができ、保管収納及び携行に便利な簡易担架を提供することを目的とする。
【課題を解決するための手段】
【０００５】
前記目的を達成するため、本考案は次の手段を講じた。即ち、
略長方形状の本体シート２と、この本体シート２と周縁が接合されると共に開閉可能な開口部１６を備えたカバーシート３と、本体シート２の長手方向に沿った左右縁部４，５に間隔をあけて複数設けられている縣架用部材６と、各縣架用部材６に近接して前記本体シート２及びカバーシート３の左右縁部４，５側に間隔をあけて複数設けられている把持孔１２とを備えている。
これによって、縣架用部材６は、担棒の直径と同程度の小径筒状に形成することができ、担棒の使用時には担棒をズレ難くし、また担棒を使用しないときには把持孔１２に手指を挿入して確実に把持することができて負傷者等の搬出に支障をきたすことがなく、しかも縣架用部材６の側方（左右縁部４、５のさらに外方）への突出量を少なくしてコンパクトに折り畳むことができ、保管収納及び携行に便利となる。
【０００６】
前記カバーシート３は、本体シート２の左縁部４に当接して本体シート２の略左半分を覆う左カバー１３と、本体シート２の右縁部５に当接して本体シート２の略右半分を覆う右カバー１４とを備え、この左右カバー１３，１４の衝合位置に左右カバー１３，１４を係脱可能に係止する開閉手段１５を有する開口部１６が形成されている。
これによって、本体シート２とカバーシート３とを一度に加工でき、開閉手段１５の取り付けも容易となり、製造コストを下げることができる。
前記本体シート２が、非通気性の合成樹脂シートで構成されている。
【０００７】
これによって、負傷程度や損傷程度のひどい負傷者等の搬出時には、悪臭の漏洩を防止でき、負傷者等を運ぶに十分な強度が得られる。
前記開閉手段１５に、水密状態に閉じることができるスライドファスナーが用いられている。
これによって、負傷程度や損傷程度のひどい負傷者等の搬出時には、悪臭や血液等の漏洩を防止しつつ搬出でき、負傷者等の収容等も容易となる。
【考案の効果】
【０００８】
本考案により、担棒の使用時には、担棒をズレ難くし、また担棒を使用しないときには、手で確実に把持できて負傷者等の搬出に支障をきたすことがなく、コンパクトに折り畳むことができ、保管収納及び携行に便利となる。
【考案を実施するための最良の形態】
【０００９】
以下、本考案の簡易担架１を図面に基づき説明する。
本考案の簡易担架１は、警察署、交番、自衛隊駐屯地、消防署、病院、学校、山小屋、救難車両、救難ヘリあるいは公共施設等に常備しておき、各種の事故現場や災害現場、例えば、交通事故現場、山岳事故現場、ビル倒壊現場、列車事故現場、海難事故現場等の足場の悪い被災現場に担棒なしで折り畳んで携行して、被災現場の状況に合わせて担棒による搬出と手持ちによる搬出とを随意切り替えつつ負傷者等を搬出するのに使用される。
図１〜３に示すように、簡易担架１は、略長方形状の本体シート２と、この本体シート２を上方から覆うカバーシート３と、本体シート２の長手方向に沿った左右縁部４，５に間隔をあけて複数設けられる縣架用部材６と、各縣架用部材６に近接して設けられる把持孔１２とを有している。
【００１０】
図１及び２に示されるように、前記本体シート２は、負傷者等が横臥状態で載置できるサイズ、例えば幅６００〜１２００ｍｍ、長さ１８００ｍｍ〜２２００ｍｍの略長方形状に合成樹脂シートを裁断して形成される。前記合成樹脂シートには合成繊維布が含まれ、この合成繊維布としては負傷程度や損傷程度のひどい負傷者等の悪臭の漏洩を防止でき、負傷者等を運ぶに十分な強度が得られるように、非通気性と強度に優れる不織布を用いるのが好ましい。
前記合成樹脂シートを構成する合成樹脂には、ポリビニルアルコール樹脂、ナイロン系合成樹脂、ポリエチレンテレフタレート系樹脂、ポリ塩化ビニリデン系合成樹脂、ポリ塩化ビニル系合成樹脂、ポリエステル系合成樹脂、ポリアクリロニトリル系合成樹脂、ポリエチレン系合成樹脂、ポリプロピレン系合成樹脂、ポリウレタン系合成樹脂、ポリクラール系合成樹脂などを用いることができる。これらの中でも好ましくは引張強度と非通気性とに優れるポリ塩化ビニル系合成樹脂、ポリエチレンテレフタレート系樹脂、またはポリエステル系合成樹脂を用いるのが良い。
【００１１】
前記本体シート２は、上面から見て左右縁部４，５に沿って略帯状の左右接合部７，８と、上面から見て前後縁部１８，１９に沿って凹面状の前後接合部２０，２１を有しており、この左右接合部７，８と前後接合部２０，２１とで成る周縁を接合することで、カバーシート３が本体シート２上に接合されている。また、左右接合部７，８の下面には前記縣架用部材６が接合されている。この左右接合部７，８と前後接合部２０，２１とは本体シート２とカバーシート３とが貼り合わされて厚みが厚くなると共に屈曲等の変形もしにくくなっており、負傷者等を載せて搬出する際に力が加わっても曲がりにくく、搬出時に簡易担架１を水平に維持しやすい。
【００１２】
図３に示されるように、前記縣架用部材６は、前記合成樹脂シートで成る帯材を長手方向両端を揃えて折り返し、折り目側を残してその反対側を積層状態に貼り合わせて形成される。この縣架用部材６は、折り目側に担棒を挿し込み可能に押し広げられる筒部１０が形成されており、また折り目の反対側に互いに帯材が貼り合わされた取付用片１１が形成されている。縣架用部材６は、この取付用片１１を本体シート２の左右縁部４，５の下面側に面接させて貼り付けられている。
前記縣架用部材６は、左右縁部４，５のそれぞれの側の縣架用部材６の筒部１０が、左右縁部４，５に平行な同一線上に揃って開口するように本体シート２に取り付けられ、左右縁部４，５のそれぞれの側の筒部１０を連通して担棒を挿通可能となっており、左右一組の担棒で左右縁部４，５側の全ての縣架用部材６をそれぞれ挿通可能となっている。
【００１３】
前記取付用片１１の貼り付けには、縫着、接着、鋲着等の公知の手段を用いることができるが、縫着を用いる場合は取付用片１１の縁に沿って四角形状に縫着すると共に、取付用片１１の対角線に沿って補強用の縫着を行うのが良く、これによってどの方向から力が作用しても取付用片１１が本体シート２より剥がれ難くなる。
前記筒部１０は、担棒を挿通可能な程度の開口径と担棒を確実に保持できる程度の長さであれば特に限定されないが、好ましくは長手方向に１００〜２００ｍｍの長さと、５０〜１５０ｍｍの開口径とするのが良い。これにより、担棒を支障なく差し込んで搬出できると共に、担棒のズレを防止して負傷者等を確実に支持して搬出することができる。
【００１４】
前記担棒は、筒部１０に挿通可能な径を有し、本体シート２より長く形成された木棒であることが好ましいが、筒部１０に挿通可能であれば、合成樹脂製、金属製、あるいはその複合材料製であっても良い。特に、担棒を予め準備しておいて使用する場合は、軽量で高強度な樫やグラスファイバーチューブ等で形成されるのが好ましい。また、被災現場において担棒の代替品を調達する場合は、青竹のような軽量且つ高強度な代替棒材を用いるのが好ましい。さらに、担棒との滑りを防止するために、担棒の表面または筒部１０の内周面に凹凸加工、溝付け加工などの物理的加工やゴム貼り等の表面加工を行うのが好ましい。
【００１５】
前記把持孔１２は、前記筒部１０に挿通された担棒を筒部１０ごと掴めるように、取付用片１１の貼り付け位置に形成される。前記把持孔１２は担棒を筒部１０ごと掴める位置であれば、担棒からの距離に限定はないが、好ましくは担棒から幅方向に２０〜１５０ｍｍの位置（縣架用部材６に近接した位置）に設けられるのが良い。これによって、担棒を筒部１０ごと掴めるので担棒が抜けないように簡易担架１を支持でき、傾斜した搬出経路でも担棒が抜けないので、平坦な経路に入っても担棒を再度挿通する手間が省けて、入り組んだ経路を長距離移動するのに便利である。また、担棒を握り込むことで簡易担架１を確実に支持でき、手持ち搬出時の確実性が向上する。
【００１６】
前記把持孔１２は、搬出者が手を差し込んで本体シート２を突っ張り状態で支えられるものであれば、形状やサイズは特に限定されないが、好ましくは幅（本体シート２の幅方向と同じ方向の長さ）で３０〜８０ｍｍ、長さ（本体シート２の長手方向と同じ方向の長さ）で９０〜１８０ｍｍの略長孔形状とするのが良い。把持孔１２を大きくし過ぎると本体シート２が破断する恐れがあり、小さくし過ぎるとかえって搬出に不便であるからである。また、把持孔１２の穿孔位置は取付用片１１の略中央位置とし、孔の大きさを取付用片１１の大きさ未満とするのが好ましく、これによって把持孔１２の穿孔により本体シート２やカバーシート３が破断し難くなる。
【００１７】
前記カバーシート３は、前記合成樹脂シートにより形成される一対の左カバー１３と右カバー１４とを有しており、この左右カバー１３，１４を互いに係止する開閉手段１５を備えた開口部１６が幅方向の略中央部に長手方向に沿って形成されている。
前記左カバー１３は左端側が左接合部７で本体シート２に接合され、右カバー１４は右端側が右接合部８で本体シート２に接合され、右カバー１４の左端側と左カバー１３の右端側は幅方向の中央部付近で衝合し、この衝合位置に開口部１６が設けられている。
前記左右カバー１３，１４は、幅方向及び長さ方向の中央付近が盛り上がって、本体シート２との間に一定の空間を形成するように凸状部１７が形成されている。この凸状部１７は負傷者等が収容できる大きさであれば、図１のように馬の背状でなくても良い。例えば、惰球形状でも、多角形状でも良い。
【００１８】
前記開口部１６は、左右カバー１３，１４の衝合位置、即ち幅方向の中央部付近を長手方向に亘って（上面視で略Ｉ字状に）切り込みを入れて形成されており、左カバー１３の左端側及び右カバー１４の右端側の間には開閉手段１５が設けられている。本実施例では開口部１６は上面視で略Ｉ字状に切り込みを入れて形成されているが、気密性が保ちやすく、負傷者等の出し入れが容易な形状であれば特にその形状は限定はされない。例えば、Ｉ字状に代えて、略Ｃ字状（略コの字状）、略Ｌ字状、略Ｈ字状に切り込みを入れても良い。
【００１９】
前記開閉手段１５には、布団圧縮袋のワンタッチファスナーや冷凍食品収納袋などでも利用され、気密性を有するように閉じられるスライドファスナー、例えば開口部１６の左右周縁に亘って係止部と被係止部とがそれぞれ設けられ、係止部と被係止部との係止（嵌合）により気密性が確保されるスライドファスナーを利用するのが好ましい。これにより、負傷程度や損傷程度のひどい負傷者等の搬出時の悪臭や血液等の漏洩を防止しつつ搬出でき、負傷者等の出し入れも容易となる。
前記本体シート２及びカバーシート３には、引張強度が４５０ｋｇ／ｃｍ2以上となるように前記合成樹脂シートを選ぶのが望ましい。合成樹脂シートの引張強度を４５０ｋｇ／ｃｍ2以上とすることで、負傷者等を載せて搬出時に不測の力が作用しても、本体シート２やカバーシート３が破断等する恐れがなくなるからである。
【００２０】
前記本体シート２及びカバーシート３の表面、特に負傷者等に対する面には、撥水コーティングが施されるのが好ましい。この撥水コーティングには、ゴム系樹脂、ビニル系樹脂などを用いた不通気性防水加工を用いるのが良く、これによって搬出中の負傷者等から悪臭や血液等が漏洩するのを防止できる。
簡易担架１の製造方法は、例えば、所定幅の幅を有する合成樹脂シートのロールから所定長さずつ繰り出して、プレス加工により中央部に前記凸状部１７を有するカバーシート３の半製品をすだれ状に連続形成する。次の工程で凸状部１７に切り目を入れ、この切れ目にスライドファスナー（開閉手段１５）を取り付けてカバーシート３を作成しておく。次の工程で本体シート２を所定幅の合成樹脂シートのロールから所定長さずつ繰り出して、前記カバーシート３の下側に本体シート２を重合供給し、凸状部１７の周囲（周縁）を熱融着により接合する。その後、すだれ状の連続部を順次切り離して、簡易担架１を製造する。
【００２１】
なお、接合方法は熱融着による必要はなく、接着、縫着や係止具等による係止でも可能である。また、縣架用部材６は本体シート２とカバーシート３との接合後に取り付けても良いが、熱融着する場合は縣架用部材６を一緒に熱融着する方が製造工程が簡略化されるため好ましい。さらに、簡易担架１の製造方法は上記方法に限定されずに、他の方法を用いても良い。
次に、簡易担架１の使用（搬出）方法について説明する。
ビルの倒壊現場や列車事故現場のような被災現場では、被災現場付近は足場が悪く、その周囲は平坦で整備された搬出経路である場合が多い。このような被災現場には長尺な担棒は持ち込みは困難であるから、簡易担架１を折り畳んで被災現場に携行し、最初に負傷者等を簡易担架１内に収容して、場合によっては開口部１６を閉じる。その後、搬出者が把持孔１２に手を差し込んで簡易担架１を手持ちで安全な場所まで搬出する。この安全な場所において、担棒を筒部１０に挿通して２本の担棒で支えながらの搬出に切り替える。これによれば、手持ち搬出のまま移動させると安置場所等まで距離があり、搬出作業に多大な労力をかける場合に便利であり、担棒搬出に切り替えた後は搬出者に多人数を省く必要がないので、手持ち搬送を行っていた搬出者の一部はレスキュー活動を再開でき、レスキュー活動の効率化にも効果を有する。
【００２２】
また、高山の山岳事故現場のように、峻険な経路と平坦な経路とが入り乱れた長距離の搬出経路を搬出する必要がある場合においては、傾斜した経路では負傷者等の重量で担棒が筒部１０から滑りやすいので、把持孔１２に搬出者が手指を差し込んで挿通状態にある担棒を筒部１０ごと掴みつつ手持ち搬出し、平坦な搬出経路では担棒を搬出者が前後で支えながら搬出し、経路の状況に合わせて搬出方法を切り替えて搬出する。これにより、筒部１０が手持ち用の取っ手と担棒８の支持具とを兼ねる従来の担架で必要とされた担棒挿脱の手間が不要となり、搬出作業を効率的かつ安全に行えるようになる。
【００２３】
本考案は前記実施形態における各部材の形状およびそれぞれの前後・左右・上下の位置関係は、図１〜図３に示すように構成することが最良である。しかし、前記実施形態に限定されるものではなく、部材、構成を種々変形したり、組み合わせを変更したりすることもできる。
例えば、本体シート２は合成樹脂シートに限られず、天然樹脂系シート、無機系シートまたは金属系シート等で形成されても良い。また、本体シート２は折り畳めれば特に厚みを限定されない。
【００２４】
なお、把持孔１２は長孔形状とする必要はなく、例えば指が入る丸孔を複数も受けることも可能であり、各縣架用部材６に対応して複数設けられていても良い。
なお、縣架用部材６への担棒の挿脱を可能とする筒部１０は、必ずしも筒状体とする必要はなく、ベルトや係止具で担棒を取り付け、固定することも可能である。縣架用部材６を本体シート２への取り付けるのに、取付用片１１を用いる必要は必ずしもなく、取付用片１１に代えて係止具を用いて取り付けたり、筒部１０を直接接着等しても良い。
なお、撥水コーティングは行わなくても良いし、本体シート２またはカバーシート３の表裏面のいずれに行っても良い。
【００２５】
なお、把持孔１２は左右縁部４，５のみに限られず、前後の縁部に形成されても良く、把持孔１２の開口縁部に沿って補強等を行えば、把持孔１２の穿孔位置は取付用片１１の取り付け箇所に限定されない。
【図面の簡単な説明】
【００２６】
【図１】本考案の第１実施形態の簡易担架の斜視図である。
【図２】同簡易担架を上方から見た平面図である。
【図３】図２のＡ−Ａ線断面図である。
【符号の説明】
【００２７】
１    簡易担架
２    本体シート
３    カバーシート
４    左縁部
５    右縁部
６    縣架用部材
１０  筒部
１１  取付用片
１２  把持孔
１３  左カバー
１４  右カバー
１５  開閉手段
１６  開口部
【図１】
0003116761.tif 000003
【図２】
0003116761.tif 000004
【図３】
0003116761.tif 000005